(57)【要約】【目的】機器を盗難と破壊から防止すると共に、無闇に置き忘れ警告しないようにする「置き忘れ警告装置」を提供することである。【構成】外部機器が車載機に接続されている状態でアクセサリー電源がオフになったとき該外部機器の置き忘れ警告を行う外部機器の置き忘れ警告装置である。この置き忘れ警告装置は、駐車位置が盗難に際して安全地点であるか識別する安全識別部、車室内温度が機器保証温度を超えるか予測する車室内温度予測部、駐車位置が盗難に際して安全地点であり、かつ、車室内温度が設定されている機器保証温度を超えないと予測するとき、アクセサリー電源オフになっても外部機器の置き忘れ警告を行わず、駐車位置が盗難に際して安全地点でないとき、あるいは車室内温度が設定されている機器保証温度を超えると予測するとき、置き忘れ警告を行う制御部を備えている。【選択図】図１
2008197767.tif 000002
【特許請求の範囲】
【請求項１】
外部機器が車載機に接続されている状態でアクセサリー電源がオフになったとき該外部機器の置き忘れ警告を行う外部機器の置き忘れ警告装置において、
駐車位置が盗難に際して安全地点であるか識別する安全識別部、
車室内温度が機器保証温度を超えるか予測する車室内温度予測部、
駐車位置が盗難に際して安全地点であり、かつ、車室内温度が設定されている機器保証温度を超えないと予測するとき、アクセサリー電源オフになっても外部機器の置き忘れ警告を行わず、駐車位置が盗難に際して安全地点でないとき、あるいは車室内温度が設定されている機器保証温度を超えると予測するとき、置き忘れ警告を行う制御部、
を備えることを特徴とする外部機器の置き忘れ警告装置。
【請求項２】
車室内の実際の温度を測定する温度測定部、
外部の通信端末と通信するための通信部、
を備え、前記制御部は実際の車室内温度が機器保証温度以下の所定の設定温度以上になったとき前記通信部を介して運転者にその旨の通報を行うことを特徴とする請求項1記載の外部機器の置き忘れ警告装置。
【請求項３】
前記安全識別部は、
施設の名称、位置、カテゴリー等と共に施設駐車場の安全性を示す情報を含む施設データベース、
自車位置を測定する位置測定部、
駐車地点位置を前記位置測定部より求め、該駐車地点の施設を識別し、前記施設データベースより施設駐車場の安全性を示す情報を参照して駐車地点が盗難に際して安全地点であるか判定する判定部、
を備えたことを特徴とする請求項1または２記載の外部機器の置き忘れ警告装置。
【請求項４】
前記安全識別部は、
登録地点の経緯度情報と共に該登録地点の安全性を示す情報を含む登録地点データベースを備え、
前記判定部は、駐車地点が登録地点であれば、前記登録地点データベースより駐車地点の安全性を示す情報を参照して駐車地点が盗難に際して安全地点であるか判定することを特徴とする請求項３記載の外部機器の置き忘れ警告装置。
【発明の詳細な説明】
【技術分野】
【０００１】
本発明は、外部機器の置き忘れ警告装置に関わり、特に、外部機器が車載機に接続されている状態でアクセサリー電源がオフになったとき該外部機器の置き忘れ警告を行う外部機器の置き忘れ警告装置に関する。
【背景技術】
【０００２】
従来より車室内に持ち込まれて車載機と接続された持込機器の置き忘れを警告する置き忘れ警告装置が主々提案されている。持ち込み機器としては、iPOD/USBメモリ(iPODはアップル社の登録商標)等の携帯用外部オーディオ機器、携帯電話機、ICカードなどがある。これらの機器は、民生用であるため、所定温度たとえば７０0C以下での使用を保証するが、それ以上で使用すると暑さのために破壊する恐れがある。車室内の温度はドアを締め切ってたとえば炎天下で駐車するとたちまち保証温度以上になり、車室内に持ち込まれた外部機器は熱で破壊する危険にさらされる。置き忘れ警告装置は、かかる車室内温度上昇により持ち込まれた外部機器が破壊するのを防止することを目的として置き忘れ警告をするものである。
【０００３】
置き忘れ警告装置の第1の従来技術は、車両のアクセサリー電源のオン・オフを検出するACCセンサーと持込機器の接続の有無を検出するセンサーを備え、持込機器が車載機に接続されている状態でアクセサリー電源がオフになったとき該外部機器の置き忘れ警告を行う方法である（特許文献1参照）。この第1従来技術によれば、持込機器が車載機に接続されている状態でアクセサリー電源がオフになれば、必ず警告を発生するため置き忘れをなくすことができる。しかし、必ず警告を発生するため運転者にとって、うるさく、かつ煩わしい場合がある。すなわち、第1従来技術によれば、以下の１）〜４）の問題がある。
１）ユーザーがコンビニに立ち寄るなど、短時間の駐車で、抜き去る必要がなくとも警告がされてしまう。
２）夜や冬場/雨天/曇天など車室内温度が上がらず破損の心配がない環境下においても警告がされてしまう。
３）ユーザーは取り外し・持ち運びが面倒である為、なるべくなら車室内に残したいが、無条件に警告がされてしまう。
４）車室内に残す場合、ユーザーが季節、気象状況、放置時間等を加味した判断をする必要がある。
【０００４】
以上から第２従来技術として、車室内温度変化を予測し、該車室内温度が保証温度を超える確率を計算し、該確率が設定値以上のときに置き忘れ警告する方法がある（特許文献２参照）。
また、第３従来技術として、レンタカーなどにおいて個人が持ち込んだ機器の置き忘れを警告する際、あらかじめ登録された地点（レンタカー会社の駐車場）においてのみACCオフ時に置き忘れを警告する方法がある（特許文献３参照）。
【特許文献１】特開平６−１８０７８７号公報
【特許文献２】特開２００６−２６４６１６号公報
【特許文献３】特開２００６−１９５８７９号公報
【発明の開示】
【発明が解決しようとする課題】
【０００５】
第２従来技術は、車室内温度を予測し、該車室内温度に基づいて機器が高温で破壊しないように置き忘れ警告をするものであり、第３従来技術は個人の持込機器の置き忘れをタイムリーに警告して置き忘れを防止するものである。しかし、いずれの従来技術も、盗難防止を考慮して置き忘れ警告するようになっていない。このため、第２、第３従来技術では、駐車地点が盗難の恐れのある場所であっても置き忘れ警告されずに持込機器を車室内に残す事態が発生し、該持込機器が盗まれる可能性がある。特に、車室内に持ち込まれた外部機器は携帯用であるため、簡単に盗まれてしまう問題がある。
従って、本発明の目的は、駐車地点における盗難の恐れを考慮して置き忘れ警告することである。
本発明の別の目的は、機器を盗難と破壊から防止すると共に、無闇に置き忘れ警告しないようにすることである。
本発明の別の目的は、予測に反して車室内温度が上昇しても機器の破壊を防止することである。
【課題を解決するための手段】
【０００６】
本発明は外部機器が車載機に接続されている状態でアクセサリー電源がオフになったとき該外部機器の置き忘れ警告を行う外部機器の置き忘れ警告装置であり、駐車位置が盗難に際して安全地点であるか識別する安全識別部、車室内温度が機器保証温度を超えるか予測する車室内温度予測部、駐車位置が盗難に際して安全地点であり、かつ、車室内温度が設定されている機器保証温度を超えないと予測するとき、アクセサリー電源オフになっても外部機器の置き忘れ警告を行わず、駐車位置が盗難に際して安全地点でないとき、あるいは車室内温度が設定されている機器保証温度を超えると予測するとき、置き忘れ警告を行う制御部を備えている。
上記置き忘れ警告装置は，更に、車室内の実際の温度を測定する温度測定部、外部の通信端末と通信するための通信部を備え、前記制御部は実際の車室内温度が機器保証温度以下の設定温度以上になったとき前記通信部を介して運転者にその旨の通報を行う。
前記安全識別部は、施設の名称、位置、カテゴリー等と共に施設駐車場の安全性を示す情報を含む施設データベース、自車位置を測定する位置測定部、駐車地点位置を前記位置測定部より求め、該駐車地点の施設を識別し、前記施設データベースより施設駐車場の安全性を示す情報を参照して駐車地点が盗難に際して安全地点であるか判定する判定部を備えている。
前記安全識別部は、更に、登録地点の経緯度情報と共に該登録地点の安全性を示す情報を含む登録地点データベースを備え、前記判定部は、駐車地点が登録地点であれば、前記登録地点データベースより駐車地点の安全性を示す情報を参照して駐車地点が盗難に際して安全地点であるか判定する。
【発明の効果】
【０００７】
本発明によれば、駐車位置が盗難に際して安全地点であり、かつ、車室内温度が機器保証温度を超えないと予測するとき、アクセサリー電源オフになっても外部機器の置き忘れ警告を行わず、駐車位置が盗難に際して安全地点でないとき、あるいは車室内温度が機器保証温度を超えると予測するとき、置き忘れ警告を行うようにしたから、駐車地点における盗難の恐れを考慮して置き忘れ警告することができる。また本発明によれば、外部機器を盗難と破壊から防止すると共に、無闇に置き忘れ警告しないようにできる。
本発明によれば、車室内の実際の温度を測定し、実際の車室内温度が機器保証温度以下の設定温度以上になったとき通信部を介して運転者にその旨の通報するようにしたから、予測に反して車室内温度が上昇しても機器の破壊を防止することができる。
本発明によれば、施設データベースに施設駐車場の安全性を示す情報を含ませ、あるいは、登録地点データベースに登録地点の安全性を示す情報を含ませるようにしたから、駐車地点に応じた施設情報あるいは登録地点情報を参照して駐車地点が盗難に際して安全地点であるかを容易に判定することができる。
【発明を実施するための最良の形態】
【０００８】
(Ａ)第１実施例
図１は本発明の置き忘れ警告機能を備えた車載機の構成図である。車載機１０のハンズフリー電話装置２０は、直接あるいは携帯電話機３０を介して相手端末と電話し、あるいはセンターサーバにインターネット接続して所定の情報を取得して車載機制御装置４０に入力できるようになっている。センターサーバから取得する情報は、その日の車室内温度を予測するための情報、あるいはその日の車室内温度が機器保証温度を超えるか否かを予測するために必要な情報であり、天気情報、温度情報（最高、最低温度）、日付情報などである。
ハンズフリー電話装置２０は、車載電話ユニット２１、音声出力回路２２、音声入力回路２３を備えている。音声出力回路２２は受信した音声信号を車載電話ユニット２１より入力されてスピーカ２４から音声を出力し、音声入力回路２３はマイク２５より入力した音声信号を車載電話ユニット２１のアンテナ２６より直接、あるいは携帯電話機３０のアンテナより空間に放出する。なお、音声出力回路２２、音声入力回路２３、スピーカ２４、マイク２５に替えて、車載オーディオ装置５０が備える同等機能部を用いることができる。また、車載電話ユニット２１と携帯電話機３０間はブルーツースBluetoothにより無線接続され、あるいは有線で接続される。
【０００９】
車載オーディオ装置５０は、オーディオソースとしてたとえばAM/FMラジオ、CDプレーヤ、ミニディスクプレーヤを備え、所定のオーディオソースから出力されるオーディオ音をスピーカ（図示せず）から出力する。また、車載オーディオ装置５０にはコネクタ５１、バス線を介して携帯用の外部オーディオ機器６０が接続可能になっており、該外部オーディオ機器６０から送られてくるオーディオデータに基づいてオーディオ音をスピーカより出力する。
ナビゲーション装置７０は、車両の現在位置に応じた地図データをDVD，ハードディスクHDD等の地図データ記憶部から読み出して車両周辺地図をディスプレイ画面に描画すると共に、走行に応じて車両位置を示すマ−ク(車両位置マーク)を地図上で移動させ、あるいは車両位置マークをディスプレイ画面の一定位置（例えばディスプレイ画面の中心位置）に固定表示して地図をスクロ−ル表示する。また、ナビゲーション装置は、車両位置をマップマッチング処理により修正する機能や、目的地までの誘導経路を探索して地図上に表示する経路誘導機能、交差点案内機能、その他の機能を備えている。ナビゲーション装置７０は、駐車地点が盗難に対して安全地点であるかを判断し、判断結果を車載機制御装置４０に入力するようになっている。
【００１０】
車載機制御装置４０は、パソコンと同等のインテリジェント制御機能、インターネット通信制御機能、ハンズフリー電話制御機能等を備えており、処理部(ＣＰＵ)４１、ダウンロードされたファイルやメール等処理結果を記憶するメモリ４２、ナビゲーション地図画像や各種操作画像、ダウンロードされたファイル、メニュー等を表示する表示部４３、各種操作（通信操作/電話操作/ナビゲーション操作/オーディオ操作）を行なう操作部４４、外部オーディオ機器の接続の有無を検出する外部オーディオ機器接続検出部４５を備えている。処理部(ＣＰＵ)４１は、ACCオン/オフ検出部８０が自車のアクセサリー電源ACCのオフを検出したとき、後述する置忘れ警告処理を実行する。処理部(ＣＰＵ)４１は、（1）車室内温度が機器保証温度を超えるか予測する車室内温度予測部４１a、（2）駐車位置が盗難に際して安全地点であり、かつ、車室内温度が設定されている機器保証温度を超えないと予測するとき、アクセサリー電源オフになっても外部機器の置き忘れ警告を行わず、駐車位置が盗難に際して安全地点でないとき、あるいは車室内温度が設定されている機器保証温度を超えると予測するとき、置き忘れ警告を行う置き忘れ警告部４１bを備えている。
【００１１】
図２はナビゲーション装置の構成図であり、地図記憶媒体（CD-ROMやDVD）７１aは地図情報を記憶し、記録媒体制御部７１bはプロセッサ(CPU)７１cからの指示に従って地図記録媒体７１aから地図情報の読み取りを行う。位置測定装置７１dは、車速センサーおよびジャイロセンサー（図示せず）から入力するた車速パルスと移動方位を用いて自立航法により車両位置を測定し、GPS受信機７１eは3〜4個のGPS衛星から信号を受信して車両現在位置を測定し、プロセッサ７１cは自立航法とGPSを併用して車両の現在位置を計算する。地図情報メモリ７１fは記録媒体制御部７１bが地図記録媒体７１aから読出した地図情報を記憶する。データベース７１ｇは地図記録媒体７１aから読出した施設データベースPOIや登録地点データベースRPT等を備えている。施設データベース５７は図３に示すように、施設毎に、施設名、経緯度、カテゴリー（コンビニ、レストラン、駐車場、ホテル等）、住所、電話番号、詳細情報ポインタなどを備え、図ではカテゴリーが駐車場の詳細情報が示されている。詳細情報には、駐車時における安全レベル情報（盗難に対する安全性の度合）SLIが含まれており、この情報より駐車地点の施設が盗難に対して安全であるか、危険であるかを判定することができる。登録地点データベースは図４に示すように、ユーザーが登録した地点の名称や盗難に対する安全性の度合SLI′が含まれており、この情報より駐車した登録地点が盗難に対して安全であるか、危険であるかを判定することができる。なお、すべての施設情報、登録地点情報に安全レベル情報が含まれているとは限らない。
【００１２】
通信インターフェース部７１hは車載機制御装置４０との間でデータ送受を行う。たとえば、操作部４４（図１）のナビゲーション操作コマンドを車載機制御装置４０から受信して該コマンドに応じたナビゲーション制御を行い、また、地図画像情報/メニュー画像情報を車載機制御装置４０に転送して表示部４３に表示する。更に、通信インターフェース部７１hは車載機制御装置４０から要求された駐車地点が盗難に対して安全であるかの判断結果を車載機制御装置４０に送信する。
プロセッサ(CPU)７１cはROM ７１iに記憶されている各種ログラムに従って、ナビゲーション装置全体を制御する。例えば、操作コマンドに従った制御、地図読み出し／描画制御、誘導経路探索／経路誘導制御、マップマッチング制御などを行う。また、プロセッサ(CPU)７１cは車載機制御装置４０からの要求により、駐車地点が盗難に対して安全であるかの判断を行い、判断結果を車載機制御装置４０に通知する。ROM ７１iは各種プログラムや固定データを保持し、RAM７１jは処理結果を保持し、音声案内部７１kは交差点での進行方向の案内を音声で行うための処理を行い、アナウンス情報を通信インターフェース部７１hを介して車載機の車載オーディオ装置５０のスピーカより出力する。
【００１３】
図５は駐車地点が盗難に対して安全であるかの判断を行なうプロセッサ(CPU)７１cの処理フローである。
プロセッサ７１cは車載機制御装置４０の処理部４１から、駐車地点が盗難に対して安全であるかの問い合わせを受信したかチェックし（ステップ１０１）、問い合わせがあれば、地図情報より駐車地点が施設であるかチェックし（ステップ１０２）、駐車地点が施設であれば、施設データベースPOIを参照して該施設の施設情報を検索し、施設情報に含まれる安全情報を参照して施設（施設駐車場）が盗難に関して安全であるか判断し（ステップ１０３）、安全であれば、駐車地点は盗難に関して安全である旨のメッセージを車載機制御装置４０の処理部４１に通知する（ステップ１０４）。しかし、ステップ１０３において、盗難に関して安全でなければ、駐車地点が盗難に関して危険地点であると判定して、危険である旨のメッセージを車載機制御装置４０の処理部４１に通知する（ステップ１０５）。また、ステップ１０３において、盗難に関して安全性が不明であれば「安全性不明」のメッセージおよび施設の「カテゴリー」を車載機制御装置４０の処理部４１に通知する（ステップ１０６）。カテゴリー情報は車載機制御装置４０の処理部４１が置き忘れ警告するか否かの判定処理において使用する。
【００１４】
一方、ステップ１０２において、駐車位置が施設でなければ、駐車位置が登録地点であるかチェックし（ステップ１０７）、「No」であれば駐車地点は施設でも、登録地点でもないので、盗難に関しては危険であると判断し、危険である旨のメッセージを車載機制御装置４０の処理部４１に通知する（ステップ１０５）。ステップ１０７において、駐車位置が登録地点であれば、登録地点データベースRPTを参照して登録地点情報を検索し、該登録地点情報に含まれる安全情報が盗難に関して安全であることを示していれば、駐車地点は盗難に関して安全である旨のメッセージを車載機制御装置４０の処理部４１に通知する（ステップ１０４）。しかし、登録地点情報に含まれる安全情報が盗難に関して危険であることを示していれば、あるいは安全/危険が不明であれば、盗難に関しては危険であると判断し、危険である旨のメッセージを車載機制御装置４０の処理部４１に通知する（ステップ１０５）。
【００１５】
図６は車載機制御装置４０の処理部４１の外部機器の置き忘れ警告処理フローである。
処理部４１は、自車のアクセサリー電源ACCがオンになると、車載電話ユニット２１を制御してセンターサーバにインターネット接続して、その日の天気予報、温度情報などを取得してメモリ４２に保存する（ステップ２０１）。
以後、処理部４１は、ACCオン/オフ検出部８０の検出信号を監視し、自車のアクセサリー電源ACCがオフしたかチェックする（ステップ２０２）。ACCがオフすれば、外部オーディオ機器接続検出部４５の検出信号を参照して、外部オーディオ機器６０が車載オーディオ装置５０に接続されているかチェックし（ステップ２０３）、接続されていなければ、置き忘れ警告を発生しない（ステップ２０４）。
一方、外部オーディオ機器６０が車載オーディオ装置５０に接続されていれば、駐車地点が盗難に対して安全地点であるかナビゲーション装置７０に問い合わせ、盗難に対して安全地点であるか判定する（ステップ２０５）。
【００１６】
盗難に対して安全地点でなければ、取り外し警告音声を車載オーディオ装置５０のスピーカより出力する（ステップ２０６）。たとえば、「駐車地点は盗難に対して安全ではありません。外部オーディオ機器を取り外して携帯ください」というような置き忘れ警告メッセージを車載オーディオ装置５０で音声合成して出力する。また、ステップ２０５において、盗難に対して安全地点であれば、天気情報、温度情報、日時（季節）などを考慮して、その日の車室内温度が機器の使用保証温度を超えるか否かを予測し（ステップ２０７）、車室内温度が機器の使用保証温度を超える場合には、温度が取り外し条件を満足するとみなして取り外し警告音声を車載オーディオ装置５０のスピーカより出力する（ステップ２０６）。たとえば、「車室温度が使用保証温度を超えて外部オーディオ危機が破壊する恐れがあります。外部オーディオ機器を取り外して携帯ください」というような置き忘れ警告メッセージを車載オーディオ装置５０で音声合成して出力する。しかし、ステップ２０７において、車室内温度が機器の使用保証温度を超えないと予測すれば、置き忘れの警告を発生しない（ステップ２０４）。
一方、ステップ２０５において、施設が盗難に対して安全地点であるか否かが不明の場合には、該施設のカテゴリーに基づいて駐車施設が店舗（スーパー、コンビニ、レストラン、書店）など長時間滞在とならない施設であるか判断し（ステップ２０８）、長時間滞在とならない施設であれば取り外し警告を発生せず（ステップ２０４）、長時間滞在となる施設であれば、あるいは長時間滞在施設であるか不明の場合にはステップ２０７以降の処理を行う。
【００１７】
図７は図６のステップ２０７の車室内温度が機器の使用保証温度を超えるか否かを予測する処理の詳細フローである。まず、インターネット通信によりセンターサーバから取得してメモリ４２に保存してある天気情報、温度情報、および季節情報を参照し、天気は曇天あるいは雨天であるか、あるいは時刻は夜であるか判定し（ステップ３０１）、「YES」であれば車室内温度が機器の使用保証温度を超えないと予測し、温度が取り外し条件を満たさないと判定する（ステップ３０２）。一方、ステップ３０１において、一日の天気が曇天あるいは雨天でなく、しかも夜でなければなければ、季節は冬であるか判断し、冬であれば、車室内温度が機器の使用保証温度を超えないと予測し、温度が取り外し条件を満たさないと判定する（ステップ３０２）。
季節が冬でなければ、天気予報、その日の最高温度予報、日付（季節）などより日照による車室内での最高温度を予測する。なお、予めこれらの情報より車室内の最高温度を予測する予測式を経験的に作成しておき、該予測式を用いて車室内温度を推定する（ステップ３０４）。ついで、車室内温度と機器保証温度を比較し(ステップ３０５)、車室内温度＜機器保証温度であれば、温度が取り外し条件を満たさないと判定する（ステップ３０２）。一方、車室内温度＞機器保証温度であれば、温度が取り外し条件を満たすと判定する（ステップ３０６）。
【００１８】
以上のように、第１実施例によれば、駐車地点が盗難に際して安全地点であり、かつ、予測した車室内温度が設定されている機器保証温度以下のとき、アクセサリー電源オフになっても外部機器の置き忘れ警告を行わず、駐車位置が盗難に際して安全地点でないとき、あるいは予測した車室内温度が設定されている機器保証温度以上になるとき、置き忘れ警告を行うようにしたから、駐車地点における盗難の恐れを考慮して置き忘れ警告することができる。また本発明によれば、外部機器を盗難と破壊から防止すると共に、無闇に置き忘れ警告しないようにできる。
また、第１実施例によれば、施設データベースに施設駐車場の安全性を示す情報を含ませ、あるいは、登録地点データベースに登録地点の安全性を示す情報を含ませるようにしたから、駐車地点に応じた施設情報あるいは登録地点情報を参照して駐車地点が盗難に際して安全地点であるかを容易に判定することができる。
【００１９】
（Ｂ）第２実施例
図８は本発明の第２実施例の構成図であり、図１の第１実施例と同一部分には同一符号を付している。異なる点は、車室内の温度を測定する車室内温度測定器４６を設けた点である。
図９は第２実施例における車載機制御装置の処理部４１の置き忘れ警告処理フローである。
処理部４１は、自車のアクセサリー電源ACCがオンになると、車載電話ユニット２１を制御してセンターサーバにインターネット接続して、その日の天気予報、温度情報などを取得してメモリ４２に保存する（ステップ４０１）。
以後、処理部４１は、ACCオン/オフ検出部８０の検出信号を監視し、自車のアクセサリー電源ACCがオフしたかチェックする（ステップ４０２）。ACCがオフすれば、外部オーディオ機器接続検出部４５の検出信号を参照して、外部オーディオ機器６０が車載オーディオ装置５０に接続されているかチェックし（ステップ４０３）、接続されていなければ、置き忘れ警告を発生しない（ステップ４０４）。
一方、外部オーディオ機器６０が車載オーディオ装置５０に接続されていれば、天気情報、温度情報、日付（季節）などを考慮して、その日の車室内温度が機器の使用保証温度を超えるか否かを予測し（ステップ４０５）、車室内温度が機器の使用保証温度を超える場合には、温度が取り外し条件を満足するとみなして取り外し警告音声を車載オーディオ装置５０のスピーカより出力する（ステップ４０６）。たとえば、「車室温度が使用保証温度を超えて外部オーディオ危機が破壊する恐れがあります。外部オーディオ機器を取り外して携帯ください」というような置き忘れ警告メッセージを車載オーディオ装置５０で合成して出力する。
【００２０】
一方、ステップ４０５において、車室内温度が機器の使用保証温度を超えないと予測すれば、置き忘れの警告を発生せず、以後、車室内温度を測定し（ステップ４０７）、実際の車室内温度Tが機器の使用保証温度Ta以下の設定温度Tth(≦Ta)より大きくなったか監視し（ステップ４０８）、車室内温度Tが設定温度Tth （T≧Tth）になれば、車載電話ユニット２１を制御して温度が上昇して外部オーディオ機器が危険になったことを運転手にメールによりあるいは通常の音声電話で通報する（ステップ４０９）。
図９では盗難安全性を考慮しなかったが、図１０のフローに示すように盗難安全性を考慮することもできる。図１０は第１実施例のフロー（図６）に図９のフローにおけるステップ４０７〜４０９を追加したもので、その他の処理は図６とまったく同じである。ステップ２０７において、車室内温度が機器の使用保証温度を超えないと予測すれば、置き忘れの警告を発生せず、以後、車室内温度を測定し（ステップ４０７）、実際の車室内温度Tが機器の使用保証温度Ta以下の設定温度Tth(≦Ta)より大きくなったか監視し（ステップ４０８）、車室内温度Tが設定温度Tth （T≧Tth）になれば、車載電話ユニット２１を制御して温度が上昇して外部オーディオ機器が危険になったことを運転手にメールによりあるいは通常の音声電話で通報する（ステップ４０９）。
第２実施例によれば、車室内の実際の温度を測定し、実際の車室内温度が機器保証温度以下の設定温度以上になったとき通信部を介して運転者にその旨の通報するようにしたから、予測に反して車室内温度が上昇しても機器の破壊を防止することができる。
以上本発明によれば、ユーザーは外部オーディオ機器の聞く必要のない「抜き忘れ警告」を聴かなくて済むようになる。また、本発明によれば、ユーザーは盗難や破損させない為に、機器を外すべきか否かを知ることができ、この為、外部オーディオ機器の取り付け/外し操作、持ち運び頻度を減らすことができる。
なお、以上の実施例の説明では外部オーディオ機器の置き忘れ警告について説明したが、本発明は外部オーディオ機器に限らず、携帯用の外部機器の置き忘れに適用することができることは勿論である。
【図面の簡単な説明】
【００２１】
【図１】第１実施例の置き忘れ警告機能を備えた車載機の構成図である。
【図２】ナビゲーション装置の構成図である。
【図３】施設データベースの説明図である。
【図４】登録地点データベースの説明図である。
【図５】駐車地点が盗難に対して安全であるかの判断を行なう処理フローである。
【図６】外部機器の置き忘れ警告処理フローである。
【図７】車室内温度が機器の使用保証温度を超えるか否かを予測する処理の詳細フローである。
【図８】第２実施例の置き忘れ警告機能を備えた車載機の構成図である。
【図９】第２実施例の置き忘れ警告処理フローである。
【図１０】第２実施例の別の置き忘れ警告処理フローである。
【符号の説明】
【００２２】
１０  車載機
２０  ハンズフリー電話装置
３０  携帯電話機
４０  車載機制御装置
４１  処理部
４５  外部オーディオ機器接続検出部
５０  オーディオ装置
６０  携帯用の外部オーディオ機器
７０  ナビゲーション装置
８０  ACCオン/オフ検出部
【図１】
2008197767.tif 000003
【図２】
2008197767.tif 000004
【図３】
2008197767.tif 000005
【図４】
2008197767.tif 000006
【図５】
2008197767.tif 000007
【図６】
2008197767.tif 000008
【図７】
2008197767.tif 000009
【図８】
2008197767.tif 000010
【図９】
2008197767.tif 000011
【図１０】
2008197767.tif 000012